(57)【要約】【課題】水槽に配置したときに直下への照明が可能であり、また、照明部が高温になることを防止することが可能な上部ろ過装置を提供する。【解決手段】上部ろ過装置１００は、ろ材１０３を有し、ろ材１０３に水を通過させるための本体ケース１０１と、光源として発光ダイオード１１１を有し、発光ダイオード１１１から発生する熱を本体ケース１０１内の水に伝導することができるように本体ケース１０１の底面に配置されたＬＥＤ照明基盤１０９とを備える。【選択図】図１
2008092827.tif 000002
【特許請求の範囲】
【請求項１】
ろ過部を有し、ろ過部に水を通過させるための水路と、
光源として発光ダイオードを有し、前記発光ダイオードから発生する熱を前記水路内の水に伝導することができるように水路の下に配置された照明部とを備える、上部ろ過装置。
【請求項２】
前記発光ダイオードから発生する熱を伝導するための第１の熱伝導部と、前記第１の熱伝導部に接触する、または、前記第１の熱伝導部から離れることができるように設けられ、前記水路内の水に熱を伝導するための第２の熱伝導部とをさらに備える、請求項１に記載の上部ろ過装置。
【請求項３】
前記発光ダイオードから発生する熱を伝導するための第３の熱伝導部と、前記第３の熱伝導部に接触する、または、前記第３の熱伝導部から離れることができるように設けられ、大気に熱を伝導するための第４の熱伝導部とをさらに備える、請求項２に記載の上部ろ過装置。
【請求項４】
前記水路内を流れる水の温度を検知する水温検知手段を備え、前記水温検知手段によって検知された水の温度に応じて、前記第１の熱伝導部に前記第２の熱伝導部が接触し、かつ、前記第３の熱伝導部から前記第４の熱伝導部が離れる第１の切替位置と、前記第１の熱伝導部から前記第２の熱伝導部が離れ、かつ、前記第３の熱伝導部に前記第４の熱伝導部が接触する第２の切替位置と、前記第１の熱伝導部に前記第２の熱伝導部が接触し、かつ、前記第３の熱伝導部に前記第４の熱伝導部が接触する第３の切替位置とを切替えることが可能であるように構成されている、請求項３に記載の上部ろ過装置。
【請求項５】
周囲の大気の温度を検知する気温検知手段を備え、前記気温検知手段によって検知された大気の温度に応じて、前記第１の熱伝導部に前記第２の熱伝導部が接触し、かつ、前記第３の熱伝導部から前記第４の熱伝導部が離れる第１の切替位置と、前記第１の熱伝導部から前記第２の熱伝導部が離れ、かつ、前記第３の熱伝導部に前記第４の熱伝導部が接触する第２の切替位置と、前記第１の熱伝導部に前記第２の熱伝導部が接触し、かつ、前記第３の熱伝導部に前記第４の熱伝導部が接触する第３の切替位置とを切替えることが可能であるように構成されている、請求項３または請求項４に記載の上部ろ過装置。
【請求項６】
前記照明部の温度を検知する照明部温度検知手段を備え、前記照明部温度検知手段によって検知された前記照明部の温度に応じて、前記第１の熱伝導部に前記第２の熱伝導部が接触し、かつ、前記第３の熱伝導部から前記第４の熱伝導部が離れる第１の切替位置と、前記第１の熱伝導部から前記第２の熱伝導部が離れ、かつ、前記第３の熱伝導部に前記第４の熱伝導部が接触する第２の切替位置と、前記第１の熱伝導部に前記第２の熱伝導部が接触し、かつ、前記第３の熱伝導部に前記第４の熱伝導部が接触する第３の切替位置とを切替えることが可能であるように構成されている、請求項３から請求項５までのいずれか１項に記載の上部ろ過装置。
【発明の詳細な説明】
【技術分野】
【０００１】
この発明は、水槽の上部に配置して水槽内部の水を循環ろ過する上部ろ過装置に関する。
【背景技術】
【０００２】
一般に、上部ろ過装置を用いた水槽においては、水槽上部の前側に照明装置を配置し、後ろ側に上部ろ過装置を配置している。照明装置から発生する熱は照明装置自体を高温にすると共に周囲の空気に伝播し、また、そのうちの一部は空気伝播や輻射熱により水槽内部の水に伝播される。
【０００３】
特開２００３−１６９５６６号公報（特許文献１）に記載の照明付き水槽は、光源が光半導体であり、かつ光半導体が水槽を構成する壁材の外面に設けられている。この水槽においては、光半導体を冷却する管路が設けられており、管路の上端および下端が水槽内と連通されている。
【特許文献１】特開２００３−１６９５６６号公報
【発明の開示】
【発明が解決しようとする課題】
【０００４】
しかしながら、従来の方式では、照明装置を上部ろ過装置の下には置くことができないため、一般に販売されている上部ろ過装置を水槽の上部に配置すると、上部ろ過装置の直下は照明の光が不足して水草の育成が難しくなるという問題があった。また、照明装置自体が高温になることで、発光光量の低下やランプや電子部品の寿命の低下等をもたらすという問題があった。
【０００５】
また、特開２００３−１６９５６６号公報（特許文献１）に記載の照明付き水槽では、上部ろ過装置を水槽の上部に配置すると、上部ろ過装置の直下は照明を当てることができないという問題があった。
【０００６】
そこで、この発明の目的は、水槽に配置したときに直下への照明が可能であり、また、照明部が高温になることを防止することが可能な上部ろ過装置を提供することである。
【課題を解決するための手段】
【０００７】
この発明に従った上部ろ過装置は、ろ過部を有し、ろ過部に水を通過させるための水路と、光源として発光ダイオードを有し、発光ダイオードから発生する熱を水路内の水に伝導することができるように水路の下に配置された照明部とを備える。
【０００８】
このようにすることにより、上部ろ過装置を水槽に配置したときに直下への照明が可能であり、また、照明部が高温になることを防止することが可能な上部ろ過装置を提供することができる。
【０００９】
この発明に従った上部ろ過装置は、発光ダイオードから発生する熱を伝導するための第１の熱伝導部と、第１の熱伝導部に接触する、または、第１の熱伝導部から離れることができるように設けられ、水路内の水に熱を伝導するための第２の熱伝導部とをさらに備えることが好ましい。
【００１０】
特開２００３−１６９５６６号公報（特許文献１）に記載されている照明付き水槽では、常に光半導体から発生した熱を水槽内の水で冷却するため、夏場等に水槽中の水温が上昇している場合にさらに水温が上昇して、水槽内の魚や水草にダメージを与えるという問題があった。
【００１１】
第１の熱伝導部と第２の熱伝導部とをさらに備え、水路内の水に熱を伝導するための第２の熱伝導部が第１の熱伝導部から離れることができるように設けられていることによって、たとえば、水温が低いときには発光ダイオードから発生する熱を水路内の水に伝導して発光ダイオードを冷却し、また、水温が高いときには発光ダイオードから発生する熱を水路内の水に伝導しないようにすることができる。
【００１２】
このようにすることにより、水槽内の水温が必要以上に上昇することを防ぐことが可能となる。
【００１３】
この発明に従った上部ろ過装置は、発光ダイオードから発生する熱を伝導するための第３の熱伝導部と、第３の熱伝導部に接触する、または、第３の熱伝導部から離れることができるように設けられ、大気に熱を伝導するための第４の熱伝導部とをさらに備えることが好ましい。
【００１４】
このようにすることにより、発光ダイオードから発生する熱を水路内の水に伝導して発光ダイオードを冷却し水槽内の水を加熱するか、または、発光ダイオードから発生する熱を大気に伝導して発光ダイオードを冷却し水槽内の水の温度上昇を極力抑えるかを選択することが可能となる。
【００１５】
この発明に従った上部ろ過装置は、水路内を流れる水の温度を検知する水温検知手段を備え、水温検知手段によって検知された水の温度に応じて、第１の熱伝導部に第２の熱伝導部が接触し、かつ、第３の熱伝導部から第４の熱伝導部が離れる第１の切替位置と、第１の熱伝導部から第２の熱伝導部が離れ、かつ、第３の熱伝導部に第４の熱伝導部が接触する第２の切替位置と、第１の熱伝導部に第２の熱伝導部が接触し、かつ、第３の熱伝導部に第４の熱伝導部が接触する第３の切替位置とを切替えることが可能であるように構成されていることが好ましい。
【００１６】
このようにすることにより、例えば、水温が低ければ、熱伝導部を第１の切替位置にして、発光ダイオードから発生する熱を水路を循環する水に伝導することによって発光ダイオードを冷却し、一方、水温が高ければ、熱伝導部を第２の切替位置にして、発光ダイオードから発生する熱を大気に伝導することによって発光ダイオードを冷却することができる。また、熱伝導部を第３の切替位置にすることによって、発光ダイオードから発生する熱を水路中の水と大気の両方に伝導して発光ダイオードを冷却することができる。さらに、このように水温に応じて発光ダイオードから発生する熱を水路中の水に伝導することによって水温を上昇させる補助のヒーター動作が可能となる。
【００１７】
この発明に従った上部ろ過装置は、周囲の大気の温度を検知する気温検知手段を備え、気温検知手段によって検知された大気の温度に応じて、第１の熱伝導部に第２の熱伝導部が接触し、かつ、第３の熱伝導部から第４の熱伝導部が離れる第１の切替位置と、第１の熱伝導部から第２の熱伝導部が離れ、かつ、第３の熱伝導部に第４の熱伝導部が接触する第２の切替位置と、第１の熱伝導部に第２の熱伝導部が接触し、かつ、第３の熱伝導部に第４の熱伝導部が接触する第３の切替位置とを切替えることが可能であるように構成されていることが好ましい。
【００１８】
このようにすることにより、例えば、気温が低ければ、熱伝導部を第１の切替位置にして、発光ダイオードから発生する熱を水路を循環する水に伝導することによって発光ダイオードを冷却し、発光ダイオードから発生する熱を周囲の大気に伝導しないようにする。一方、気温が高ければ、熱伝導部を第２の切替位置にして、発光ダイオードから発生する熱を大気に伝導することによって発光ダイオードを冷却し、水路を循環する水を発光ダイオードから発生する熱で加熱しないようにすることができる。また、熱伝導部を第３の切替位置にすることによって、発光ダイオードから発生する熱を水路中の水と大気の両方に伝導して発光ダイオードを冷却することができる。このように、気温に応じて発光ダイオードから発生する熱を水路中の水に伝導することによって水温を上昇させる補助のヒーター動作が可能となる。
【００１９】
この発明に従った上部ろ過装置は、照明部の温度を検知する照明部温度検知手段を備え、照明部温度検知手段によって検知された照明部の温度に応じて、第１の熱伝導部に第２の熱伝導部が接触し、かつ、第３の熱伝導部から第４の熱伝導部が離れる第１の切替位置と、第１の熱伝導部から第２の熱伝導部が離れ、かつ、第３の熱伝導部に第４の熱伝導部が接触する第２の切替位置と、第１の熱伝導部に第２の熱伝導部が接触し、かつ、第３の熱伝導部に第４の熱伝導部が接触する第３の切替位置とを切替えることが可能であるように構成されていることが好ましい。
【００２０】
このようにすることにより、照明部の温度が所定の温度以上であれば、熱伝導部を第３の切替位置にすることによって照明部の発光ダイオードから発生する熱を水路中の水と大気の両方に伝導することによって発光ダイオードを冷却し、照明部の温度が異常に高温になるのを防止することができる。
【発明の効果】
【００２１】
以上のように、この発明によれば、水槽に配置したときに直下への照明が可能であり、また、照明部が高温になることを防止することが可能な上部ろ過装置を提供することができる。
【発明を実施するための最良の形態】
【００２２】
以下、この発明の実施の形態を図面に基づいて説明する。
【００２３】
図１は、この発明の一つの実施の形態として、水槽の上部に配置された上部ろ過装置の全体を示す図である。
【００２４】
図１に示すように、水槽１の上に設置される上部ろ過装置１００は、水路として本体ケース１０１と、本体カバー１０２と、ろ過部としてろ材１０３と、すのこ１０４と、給水パイプ１０５と、循環ポンプ１０６と、送水パイプ１０７と、排水パイプ１０８と、照明部としてＬＥＤ照明基板１０９とを備える。ろ材１０３と、すのこ１０４と、送水パイプ１０７は、本体ケース１０１の内部に配置されている。
【００２５】
図２は、ＬＥＤ照明基板の全体を示す断面図である。
【００２６】
図２に示すように、ＬＥＤ照明基板１０９には、熱伝導性能の良い金属等の基板が用いられており、本発明の実施の形態においてはアルミニウム基板１１０が用いられている。アルミニウム基板１１０上には発光ダイオード（ＬＥＤ）１１１や電子部品が実装されており、防水のために透明シリコン１１２によってモールド加工が施されている。また、ＬＥＤ照明基板１０９は本体ケース１０１の下部である底面に配置されており、発光ダイオード１１１を実装した表面が水槽１の水面側に露出しており、発光ダイオード１１１を実装していないアルミニウム基板１１０の裏面が本体ケース１０１内において水が通過する部分に露出するように取り付けられている。
【００２７】
循環ポンプ１０６の電源が入れられて循環ポンプ１０６が駆動すると、水槽１内の水は、給水パイプ１０５から吸引されて、循環ポンプ１０６と送水パイプ１０７を通って本体ケース１０１内に流入し、本体ケース１０１内でろ材１０３を通過することによってろ過され、すのこ１０４を通ってＬＥＤ照明基板１０９の裏面に接触するように流れ、排水パイプ１０８を通って水槽１内に戻るように循環する。
【００２８】
ＬＥＤ照明基板１０９に通電されると発光ダイオード１１１が点灯し、本体ケース１０１の底面から下向きに水槽１の内部が照らされる。発光ダイオード１１１が点灯中に発光ダイオード１１１から発生する熱はＬＥＤ照明基板１０９に伝導され、ＬＥＤ照明基板１０９に伝導された熱はＬＥＤ照明基板１０９の背面を通過する循環水に伝導される。このようにして、ＬＥＤ照明基板１０９が冷却される。
【００２９】
このように、上部ろ過装置１００は、ろ材１０３を有し、ろ材１０３に水を通過させるための本体ケース１０１と、光源として発光ダイオード１１１を有し、発光ダイオード１１１から発生する熱を本体ケース１０１内の水に伝導することができるように配置されたＬＥＤ照明基板１０９とを備え、ＬＥＤ照明基板１０９は、本体ケース１０１の下部に配置されている。
【００３０】
このようにすることにより、水槽１に配置したときに直下への照明が可能であり、また、ＬＥＤ照明基板１０９が高温になることを防止することが可能な上部ろ過装置１００を提供することができる。
【００３１】
図３は、この発明のもう一つの実施の形態として、水槽の上部に配置された上部ろ過装置の全体を示す図である。
【００３２】
図３に示すように、水槽１の上に設置される上部ろ過装置２００は、上部ろ過装置１００と異なる点としては、第１の熱伝導部として循環水側熱伝導板２０１と、第２の熱伝導部として循環水側放熱板２０２と、循環水側放熱切替モーター２０３と、第３の熱伝導部として空気側熱伝導板２０４と、第４の熱伝導部として空気側放熱板２０５と、空気側放熱切替モーター２０６と、水温検知手段としてサーミスタ２０７とをさらに備える。
【００３３】
また、上部ろ過装置２００が上部ろ過装置１００と異なる点として、ＬＥＤ照明基板１０９は、本体ケース１０１の底面に配置されており、発光ダイオード１１１を実装した表面が水槽１の水面側に露出しており、発光ダイオード１１１を実装していないＬＥＤ照明基板１０９の裏面が本体ケース１０１の底面外側に面するように取り付けられている。
【００３４】
上部ろ過装置２００のその他の構成は、上部ろ過装置１００と同様である。
【００３５】
循環水側放熱板２０２は、本体ケース１０１の一方側の底面に配置されており、一方の面が水槽１の内部に貯められた水の水面側に露出しており、他方の面が本体ケース１０１の内部の循環水が通過する部分に露出するように取り付けられている。
【００３６】
空気側放熱板２０５は、本体ケース１０１の外部において、循環水側放熱板２０２が配置される側と反対側の側面と底面に沿って配置されている。
【００３７】
循環水側放熱切替モーター２０３は本体ケース１０１の底面のＬＥＤ照明基板１０９と循環水側放熱板２０２との間に配置されている。循環水側放熱切替モーター２０３を駆動することで循環水側熱伝導板２０１が回転して、循環水側熱伝導板２０１がＬＥＤ照明基板１０９と循環水側放熱板２０２の両方に接触する状態と、循環水側熱伝導板２０１がＬＥＤ照明基板１０９と循環水側放熱板２０２のどちらにも接触しない状態とを切り替えることができる。
【００３８】
このように、上部ろ過装置２００は、発光ダイオード１１１から発生する熱を伝導するための循環水側熱伝導板２０１と、循環水側熱伝導板２０１に接触する、または、循環水側熱伝導板２０１から離れることができるように設けられ、水路内の水に熱を伝導するための循環水側放熱板２０２とをさらに備える。
【００３９】
循環水側熱伝導板２０１と循環水側放熱板２０２とをさらに備え、水路内の水に熱を伝導するための循環水側放熱板２０２が循環水側熱伝導板２０１に接触する、または循環水側熱伝導板２０１から離れることができるように設けられていることによって、たとえば、水温が低いときには循環水側熱伝導板２０１がＬＥＤ照明基板１０９と循環水側放熱板２０２の両方に接触して発光ダイオード１１１から発生する熱を本体ケース１０１内の循環水に伝導して発光ダイオード１１１を冷却し、また、水温が高いときには、循環水側熱伝導板２０１がＬＥＤ照明基板１０９と循環水側放熱板２０２のどちらにも接触しないで発光ダイオード１１１から発生する熱を本体ケース１０１内の循環水に伝導しないようにすることができる。
【００４０】
このようにすることにより、水槽１内の水温が必要以上に上昇することを防ぐことが可能となる。
【００４１】
空気側放熱切替モーター２０６は本体ケース１０１の底面のＬＥＤ照明基板１０９と空気側放熱板２０５との間に配置されている。空気側放熱切替モーター２０６を駆動することで空気側熱伝導板２０４が回転して、空気側熱伝導板２０４がＬＥＤ照明基板１０９と空気側放熱板２０５の両方に接触する状態と、空気側熱伝導板２０４がＬＥＤ照明基板１０９と空気側放熱板２０５の両方に接触しない状態を切り替えることができる。
【００４２】
このように、上部ろ過装置２００は、発光ダイオード１１１から発生する熱を伝導するための空気側熱伝導板２０４と、空気側熱伝導板２０４に接触する、または、空気側熱伝導板２０４から離れることができるように設けられ、大気に熱を伝導するための空気側放熱板２０５とをさらに備える。
【００４３】
このようにすることにより、空気側熱伝導板２０４がＬＥＤ照明基板１０９と空気側放熱板２０５の両方に接触して発光ダイオード１１１から発生する熱を本体ケース１０１内の水に伝導して発光ダイオード１１１を冷却し水槽１内の水を加熱するか、または、空気側熱伝導板２０４がＬＥＤ照明基板１０９と空気側放熱板２０５のどちらにも接触しないで発光ダイオード１１１から発生する熱を大気に伝導して発光ダイオード１１１を冷却し水槽１内の水の温度上昇を極力抑えるかを選択することが可能となる。
【００４４】
具体的には、ＬＥＤ照明基板１０９に通電されると発光ダイオード１１１が点灯し、本体ケース１０１の底面から水槽１の内部が照らされる。発光ダイオード１１１が点灯中に発生する熱はアルミニウム基板１１０に伝導する。このとき、循環水側放熱モーター２０３の駆動によって循環水側熱伝導板２０１がＬＥＤ照明基板１０９と循環水側放熱板２０２の両方に接触する状態となっている場合は、ＬＥＤ照明基板１０９に伝導した熱は循環水側熱伝導板２０１を介して循環水側放熱板２０２に伝導し、循環水側放熱板２０２に伝導した熱は循環水側放熱板２０２の上を通過する循環水に伝導することによって冷却される。また、空気側放熱モーター２０６の駆動によって空気側熱伝導板２０４がＬＥＤ照明基板１０９と空気側放熱板２０５の両方に接触する状態となっている場合は、ＬＥＤ照明基板１０９に伝導した熱は空気側熱伝導板２０４を介して空気側放熱板２０５に伝導し、空気側放熱板２０５に伝導した熱は水槽１の外部の空気によって冷却される。
【００４５】
上部ろ過装置３００は、循環水側放熱切替モーター２０３と空気側放熱切替モーター２０６の駆動と駆動停止とを切替えることによって、循環水側熱伝導板２０１に循環水側放熱板２０２が接触し、かつ、空気側熱伝導板２０４から空気側放熱板２０５が離れる第１の切替位置と、循環水側熱伝導板２０１から循環水側放熱板２０２が離れ、かつ、空気側熱伝導板２０４に空気側放熱板２０５が接触する第２の切替位置と、循環水側熱伝導板２０１に循環水側放熱板２０２が接触し、かつ、空気側熱伝導板２０４に空気側放熱板２０５が接触する第３の切替位置とを切替えることが可能であるように構成されている。
【００４６】
サーミスタ２０７は本体ケース１０１の内部の循環水が通過する部分に配置されて、循環水の温度を検知する。
【００４７】
図４は、発光ダイオードで発生した熱を循環水に伝導するときの上部ろ過装置の底面を示す図である。
【００４８】
図４に示すように、サーミスタ２０７で検知した温度が３０℃未満の場合には、循環水側放熱切替モーター２０３と空気側放熱切替モーター２０６の駆動によって、第１の切替位置にする。すなわち、循環水側熱伝導板２０１をＬＥＤ照明基板１０９と循環水側放熱板２０３の両方に接触する状態にすることで、発光ダイオード１１１で発生した熱を循環水に伝導して加熱し、空気側熱伝導板２０４をＬＥＤ照明基板１０９と空気側放熱板２０５の両方に接触しない状態にすることで、発光ダイオード１１１で発生した熱を水槽１外部の空気に伝導しないようにする。
【００４９】
図５は、発光ダイオードで発生した熱を大気に伝導するときの上部ろ過装置の底面を示す図である。
【００５０】
図５に示すように、サーミスタ２０７で検知した温度が３０℃以上の場合には、循環水側放熱切替モーター２０３と空気側切替モーター２０５の駆動によって、第２の切替位置にする。すなわち、循環水側熱伝導板２０１をＬＥＤ照明基板１０９と循環水側放熱板２０２の両方に接触しない状態にすることで、循環水の加熱を行わないようにし、空気側熱伝導板２０４をＬＥＤ照明基板１０９と空気側放熱板２０５の両方に接触する状態にすることで、水槽１の外部の空気に熱を伝導して冷却する。
【００５１】
このように、上部ろ過装置３００は、本体ケース１０１内を流れる水の温度を検知するサーミスタ２０７を備え、サーミスタ２０７によって検知された水の温度に応じて、循環水側熱伝導板２０１に循環水側放熱板２０２が接触し、かつ、空気側熱伝導板２０４から空気側放熱板２０５が離れる第１の切替位置と、循環水側熱伝導板２０１から循環水側放熱板２０２が離れ、かつ、空気側熱伝導板２０４に空気側放熱板２０５が接触する第２の切替位置と、循環水側熱伝導板２０１に循環水側放熱板２０２が接触し、かつ、空気側熱伝導板２０４に空気側放熱板２０５が接触する第３の切替位置とを切替えることが可能であるように構成されている。
【００５２】
このようにすることにより、例えば、水温が低ければ、第１の切替位置にして、発光ダイオード１１１から発生する熱を本体ケース１０１を循環する水に伝導することによって発光ダイオード１１１を冷却し、一方、水温が高ければ、第２の切替位置にして、発光ダイオード１１１から発生する熱を大気に伝導することによって発光ダイオード１１１を冷却することができる。また、第３の切替位置にすることによって、発光ダイオード１１１から発生する熱を本体ケース１０１中の水と大気の両方に伝導して発光ダイオード１１１を冷却することができる。さらに、水温に応じて発光ダイオード１１１から発生する熱を本体ケース１０１中の水に伝導することによって水温を上昇させる補助のヒーター動作が可能となる。
【００５３】
図６は、この発明のさらにもう一つの実施の形態として、水槽の上部に配置された上部ろ過装置の全体を示す図である。
【００５４】
図６に示すように、水槽１の上に設置される上部ろ過装置３００は、上部ろ過装置２００と異なる点として、照明部温度検出手段としてＬＥＤ基板サーミスタ３０１と、気温検知手段として外部サーミスタ３０２をさらに備える。
【００５５】
上部ろ過装置３００のその他の構成は、上部ろ過装置２００と同様である。
【００５６】
外部サーミスタ３０２は、本体ケース１０１の外側に配置されて、水槽周辺の温度を検知する。ＬＥＤ基板サーミスタ３０１は、ＬＥＤ照明基板１０９に密着して配置されて、ＬＥＤ照明基板１０９の温度を検知する。
【００５７】
図７は、発光ダイオードにおいて発生した熱を、大気には伝導せず、循環水に伝導するときの上部ろ過装置の底面を示す図である。
【００５８】
図７に示すように、外部サーミスタ３０２で検知した温度が２８℃未満の場合には、循環水側放熱切替モーター２０３と空気側放熱切替モーター２０６の駆動によって第１の切替位置、すなわち、循環水側熱伝導板２０１をＬＥＤ照明基板１０９と循環水側放熱板２０２の両方に接触する状態にすることで、発光ダイオード１１１で発生した熱を循環水に伝導して循環水を加熱し、空気側熱伝導板２０４をＬＥＤ照明基板１０９と空気側放熱板１０５の両方に接触しない状態にすることで、発光ダイオード１１１で発生した熱を水槽１の外部の空気に伝導しないようにする。
【００５９】
図８は、発光ダイオードにおいて発生した熱を、循環水には伝導せず、大気に伝導するときの上部ろ過装置の底面を示す図である。
【００６０】
図８に示すように、外部サーミスタ３０２で検知した温度が２８℃以上の場合には、循環水側放熱切替モーター２０３と空気側放熱切替モーター２０６の駆動によって循環水側熱伝導板２０１をＬＥＤ照明基板１０９と循環水側放熱板２０２の両方に接触しない状態にすることで、循環水への加熱を行わないようにし、空気側熱伝導板２０４をＬＥＤ照明基板１０９と空気側放熱板２０５の両方に接触する状態にすることで、水槽１の外部の空気に熱を伝導して冷却する。
【００６１】
このように、上部ろ過装置３００は、周囲の大気の温度を検知する外部サーミスタ３０２を備え、外部サーミスタ３０２によって検知された大気の温度に応じて、循環水側熱伝導板２０１に循環水側放熱板２０２が接触し、かつ、空気側熱伝導板２０４から空気側放熱板２０５が離れる第１の切替位置と、循環水側熱伝導板２０１から循環水側放熱板２０２が離れ、かつ、空気側熱伝導板２０４に空気側放熱板２０５が接触する第２の切替位置と、循環水側熱伝導板２０１に循環水側放熱板２０２が接触し、かつ、空気側熱伝導板２０４に空気側放熱板２０５が接触する第３の切替位置とを切替えることが可能であるように構成されている。
【００６２】
このようにすることにより、例えば、気温が低ければ、第１の切替位置にして、発光ダイオード１１１から発生する熱を本体ケース１０１を循環する水に伝導することによって発光ダイオード１１１を冷却し、発光ダイオード１１１で発生した熱を水槽１の外部の空気に伝導しないようにすることができる。一方、気温が高ければ、第２の切替位置にして、発光ダイオード１１１から発生する熱を大気に伝導することによって発光ダイオード１１１を冷却し、循環水への加熱を行わないようにすることができる。また、第３の切替位置にすることによって、発光ダイオード１１１から発生する熱を本体ケース１０１中の水と大気の両方に伝導して発光ダイオード１１１を冷却することができる。さらに、このように気温に応じて発光ダイオード１１１から発生する熱を本体ケース１０１中の水に伝導することによって水温を上昇させる補助のヒーター動作が可能となる。
【００６３】
図９は、発光ダイオードにおいて発生した熱を循環水と大気の両方に伝導するときの上部ろ過装置の底面を示す図である。
【００６４】
図９に示すように、ＬＥＤ基板サーミスタ３０１で検知したＬＥＤ照明基板１０９の温度が６０℃以上の場合には、外部サーミスタ３０２で検知した温度に関係なく、循環水側放熱切替モーター２０３と空気側放熱切替モーター２０６の駆動によって第３の切替位置、すなわち、循環水側熱伝導板２０１をＬＥＤ照明基板１０９と循環水側放熱板２０２の両方に接触する状態にすることで、発光ダイオード１１１で発生した熱を循環水に伝導して冷却すると共に、空気側熱伝導板２０４をＬＥＤ照明基板１０９と空気側放熱板２０５の両方に接触する状態にすることで、水槽１の外部の空気に熱を伝導して冷却する。
【００６５】
このように、上部ろ過装置３００は、発光ダイオード１１１の温度を検知するＬＥＤ基板サーミスタ３０１を備え、ＬＥＤ基板サーミスタ３０１によって検知された水の温度に応じて、循環水側熱伝導板２０１に循環水側放熱板２０２が接触し、かつ、空気側熱伝導板２０４から空気側放熱板２０５が離れる第１の切替位置と、循環水側熱伝導板２０１から循環水側放熱板２０２が離れ、かつ、空気側熱伝導板２０４に空気側放熱板２０５が接触する第２の切替位置と、循環水側熱伝導板２０１に循環水側放熱板２０２が接触し、かつ、空気側熱伝導板２０４に空気側放熱板２０５が接触する第３の切替位置とを切替えることが可能であるように構成されている。
【００６６】
このようにすることにより、ＬＥＤ照明基板１０９が異常に高温になるのを防止することができる。
【００６７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【００６８】
【図１】この発明の一つの実施の形態として、水槽の上部に配置された上部ろ過装置の全体を示す図である。
【図２】ＬＥＤ照明基板の全体を示す断面図である。
【図３】この発明のもう一つの実施の形態として、水槽の上部に配置された上部ろ過装置の全体を示す図である。
【図４】発光ダイオードで発生した熱を循環水に伝導するときの上部ろ過装置の底面を示す図である。
【図５】発光ダイオードで発生した熱を大気に伝導するときの上部ろ過装置の底面を示す図である。
【図６】この発明のさらにもう一つの実施の形態として、水槽の上部に配置された上部ろ過装置の全体を示す図である。
【図７】発光ダイオードにおいて発生した熱を、大気には伝導せず、循環水に伝導するときの上部ろ過装置の底面を示す図である。
【図８】発光ダイオードにおいて発生した熱を循環水には伝導せず、大気に伝導するときの上部ろ過装置の底面を示す図である。
【図９】発光ダイオードにおいて発生した熱を循環水と大気の両方に伝導するときの上部ろ過装置の底面を示す図である。
【符号の説明】
【００６９】
１００，２００，３００：上部ろ過装置、１０１：本体ケース、１０３：ろ材、１０９：ＬＥＤ照明基板、１１１：発光ダイオード、２０１：循環水側熱伝導板、２０２：循環水側放熱板、２０４：空気側熱伝導板、２０５：空気側放熱板、２０７：サーミスタ、３０１：ＬＥＤ基板サーミスタ、３０２：外部サーミスタ。
【図１】
2008092827.tif 000003
【図２】
2008092827.tif 000004
【図３】
2008092827.tif 000005
【図４】
2008092827.tif 000006
【図５】
2008092827.tif 000007
【図６】
2008092827.tif 000008
【図７】
2008092827.tif 000009
【図８】
2008092827.tif 000010
【図９】
2008092827.tif 000011